Podtech/llm-jp-corpus-v4-ja_patent huggingface dataset:
(57)【要約】【課題】電磁波障害を防止し、磁力による健康増進効果のあるトルマリン装身具の効果の倍増と簡単に装着でき、しかも多用途展開できるトルマリンネックレス（装身具）の提供。【問題解決】貴金属合金製の連結具をつけることにより実現した。【選択図】　なし【特許請求の範囲】
【請求項１】
頭からかぶって簡単に装着できるトルマリンネックレスを連結具を付けることにより２分割にし、２本のチョ−カ、ネックレス或いはチョーカ、ネックレスとブレスレットに分割できることを特徴とする健康増進効果の倍増した多用途に使えるトルマリンネックレス。
【発明の詳細な説明】
【０００１】
【発明の属する技術分野】
本発明は、電磁波障害を防止することができ、しかも、磁力による健康増進効果を有している磁気健康装身具としても機能する装身具用のトルマリン製装身具の機能をより発揮できるように長寸にし、頭からかぶって簡単に装着でき、かつ、他の用途にも応用できるトルマリン製装身具を提供しようとするものである。
【０００２】
【従来の技術】
従来、ネックレスやブレスレットに関しては、磁石の連結具やネジ状の連結具等で分割或いは連結して、用途の多様化したものがある。
【０００３】
【発明が解決しようとする課題】
しかしながら、装身具の適所に磁石を配置或いは内蔵させ、その磁気作用によって血行促進や体質改善等の健康増進を図るようにした磁気健康装身具においてはさらにトルマリン素材を配置しようとすると、トルマリン素材の配置位置によってトルマリンが電磁波を吸収して磁力による健康促進効果が損なわれるという問題があった。
【０００４】
本発明は従来例の上記欠点を解消し、電磁波障害を防止、しかも磁力による健康増進効果を倍増し、分割により多用途に磁気健康装身具として使用できるトルマリン装身具を提供しようとするものである。
【０００５】
【課題を解決するための手段】
すなわち本発明は、連結具に通電性の有る金や銀、プラチナ等を主成分とする貴金属合金を使用することにより、２本のチョーカ、ネックレスを連結し、或いはチョーカ、ネックレスとブレスレットを連結した、長寸のトルマリンネックレス（装身具）、すなわち頭から簡単にかぶることができ、健康増進効果の倍増を計り、分割して多用途にも転回できるトルマリン装身具を提供するものである。
【０００６】
【発明の実施の形態】
以下にこの発明のトルマリン製装身具の実施の形態を図面に基づいて説明する。
図１は普通の寸法の１本のトルマリン製チョーカネックレスにもう１本のトルマリン製チョーカネックレスを貴金属合金の連結具で連結した、頭からかぶれるトルマリンネックレス。
図２は普通の寸法の１本のトルマリン製チョーカネックレスに１本のトルマリン製ブレスレットを貴金属合金の連結具で連結した、頭からかぶれるトルマリン製ネックレス。
【０００７】
【発明の効果】
この発明は、トルマリン製装身具のトルマリンの電磁波による障害を防止する電気磁気的作用と磁力による健康増進効果を有していて磁気健康装身具としての機能を、お年寄りや障害者にもより簡単に装着可能とし、多用途に使えることにより、利用者の利便性を高めることが可能となった。
【図面の簡単な説明】
【図１】Ａ　　トルマリンチョーカネックレス２本を貴金属合金連結具で連結させた場合を示す平面図である。
Ｂ　　トルマリンチョーカネックレスとブレスレットを貴金属合金連結具で連結させた場合を示す平面図である。
【図２】Ａ　　トルマリンチョーカネックレス２本の連結を外した場合を示した平面図である。
Ｂ　　トルマリンチョーカネックレスとブレスレットの連結を外した場合を示した平面図である。
【符号の説明】
１　貴金属合金連結具
２　トルマリンネックレス
３　トルマリンブレスレット
【図１】
2004141321.tif 000002
【図２】
2004141321.tif 000003
(57)【要約】【課題】竹とんぼは垂直方向に飛ばして遊ぶ遊具であるが、方向性が悪く、木や屋根に上がり取れなくなることがしばしばであった。【解決手段】竹とんぼの軸に翼を付け浮力を働かせることにより水平方向に飛ばせるようにしました。又、室内遊びも可能になりました。【選択図】　　　　図１
2004141398.tif 000002
【特許請求の範囲】
【請求項１】
図面１の如く竹とんぼの軸部に主翼▲２▼をストロー▲４▼に取付けカラー▲３▼にてプロペラの回転が容易になるようにしてストッパー▲５▼にて組み立てる事により水平方向に滑空する事が出来るようにすると共に，飛行する方向を安定させた翼つき竹とんぼ。
【請求項２】
翼の形状や面積を工夫するなど設計や制作をして，更に飛ばす楽しさを味わうことが出来る教材型遊具。
【発明の詳細な説明】
【０００１】
【発明の属する技術分野】
本発明は，航空力学を応用した滑空する翼つき竹とんぼに関するものである。
【０００２】
【従来の技術】
従来の竹とんぼの形状は、プロペラと軸の組み合わせであり、ヘリコプターの原理の如く垂直方向の浮力を利用して飛行していた。
【０００３】
【発明が解決しようとする課題】
従来の技術では垂直方向の浮力を利用した飛行に頼る遊びなので、遊びの範囲が限られ飽きられやすかった。特に方向性が定まらず木や屋根などに上がることが多かった。
【０００４】
【課題を解決するための手段】
そこで本発明は竹とんぼの軸部に翼を取り付けることにより、翼の浮力により水平方向に飛行させることを可能とするため、飛行距離が長くなり方向を決めやすく安定飛行する事を最も主要な特徴とする。
【０００５】
【発明の実施の形態】
竹とんぼの軸に主翼胴体となるストローを通し、紙製の翼を取り付け軸受けとなるカラーを採用した事により回転が滑らかになり、素材の軽量化と相まって実現した。
【０００６】
形状の異なる翼を取り付ける事により風が強いときでも飛行が可能になった。
【０００７】
【発明の効果】
翼の形状を航空機型や昆虫型を採用すると特有の飛ばし方が出来る。航空力学を勉学できる教材として有効な遊具である。
【０００８】
以上説明したように翼の形状と材質を工夫することにより飛び方が変わり室内でも楽しめるようになった。
【図面の簡単な説明】
【図１】平面組立図
【符号の説明】
▲１▼　スーパー竹とんぼ
▲２▼　主翼
▲３▼　カラー（ストロー）
▲４▼　主翼胴体（ストロー）
▲５▼　ストッパー（ストロー）
【図１】
2004141398.tif 000003
(57)【要約】【課題】レッグウォーマーとベルトを組合わせて使用することの効果を消費者に容易に認識させることができる展示方式を提供すること。【解決手段】上部に吊下部３２を有し、内部にレッグウォーマーを収納できる収納部３４を有する箱状のパッケージ３０を用いて、一方のレッグウォーマー１０ａをパッケージ３０の側面を覆うように装着し、その上から皮ベルト２０を脱落しないような適切な締付力で装着し、この状態で商品を展示する。かくして、個々に展示していたのでは認識できない、レッグウォーマーと皮ベルトを組合せることにより生まれるファッション効果を消費者に効果的にアピールすることができる。【選択図】　　　　図１
2004141388.tif 000002
【特許請求の範囲】
【請求項１】
レッグウォーマーのパッケージの側面を覆うように前記パッケージに前記レッグウォーマーを装着し、その上からベルトを脱落しないように装着することを特徴とする、
レッグウォーマーとベルトの展示方式。
【請求項２】
前記パッケージの上部に吊下部を有する、請求項１のレッグウォーマーとベルトの展示方式。
【請求項３】
ブーツの直立部にレッグウォーマーを装着し、その上からベルトを脱落しないように装着することを特徴とする、レッグウォーマーとベルトの展示方式。
【発明の詳細な説明】
【０００１】
【発明の属する技術分野】
本発明は、レッグウォーマーとベルトの展示方式の技術分野に属する。
【０００２】
【従来の技術】
レッグウォーマーは、女性の膝から足首の間の防寒のために、主として、冬の期間に使用されるものである。しかし、外出着に用いた場合、固定するものがないので、歩いているうちに垂れ下る問題があり、しかもデザインが比較的単純なものであるので、そのままでは見栄えもしないという問題がある。
【０００３】
そこで、レッグウォーマーに、例えば、皮ベルトを組合わせ、レッグウォーマーを皮ベルトで固定するようにすると、レッグウォーマーの垂れ下りの問題がなくなるばかりでなく、ファッション性にも優れたものになる。
【０００４】
【発明が解決しようとする課題】
しかし、レッグウォーマーと皮ベルトは、本来、互いに関係がない商品であるから、それぞれを別個に展示・販売しても、消費者に、このような優れた使用方法を気付かせることができないという問題がある。
【０００５】
【課題を解決するための手段】
本発明は、第１に、レッグウォーマーのパッケージの側面を覆うように前記パッケージに前記レッグウォーマーを装着し、その上からベルトを脱落しないように装着することを特徴とするレッグウォーマーとベルトの展示方式により、
第２に、ブーツの直立部にレッグウォーマーを装着し、その上からベルトを脱落しないように装着することを特徴とするレッグウォーマーとベルトの展示方式により、前記の課題を解決した。
【０００６】
【作用】
本発明によれば、レッグウォーマーとベルトを組合わせて使用することについて、商品の展示方式自体によって、消費者の視覚に強くアピールすることが可能となる。
また、レッグウォーマーとベルトが一体となって、結合商品のイメージを強くアピールするので、売上の増大に寄与する。
【０００７】
【発明の実施の形態】
図１は、パッケージを用いた本発明の展示方式の説明図である。
図１に示すように、パッケージを用いた本発明の展示方式は、上部に吊下部３２を有し、内部に、通常、一足のレッグウォーマー１０ａ，１０ｂを収納できる収納部３４を有する箱状のパッケージ３０を用いて、一方のレッグウォーマー１０ａをパッケージ３０の側面を覆うように装着し、その上から皮ベルト２０を脱落しないように、適切な締付力で装着し、他方のレッグウォーマー１０ｂ（図示せず。）を収納部３４に収納することによって実施される。
【０００８】
他方のレッグウォーマー１０ｂは、図２に示すように、折畳まれた状態で収納部３４に収納される。
【０００９】
レッグウォーマーと皮ベルトをこのようにして展示することで、個々に展示したのでは不可能な、レッグウォーマーと皮ベルトを組合せて使用することのファッション効果を、消費者に、直接、効果的にアピールすることができる。また、この展示方式は、余計な材料、時間、場所を必要とせず、簡単に実施することができる。
なお、吊下部３２があると、通常の引っ掛け方式によって多数の商品を展示することができる。
【００１０】
次に、図３は、ブーツを用いた本発明の展示方式の説明図である。
この場合は、一方のレッグウォーマー１０ａをブーツ４０の直立部に装着し、その上から皮ベルト２０を、脱落しないように、適切な締付力で装着することによって展示する。
【００１１】
この場合の展示は、図３（ａ）のように、ブーツ４０の直立部上部からレッグウォーマー１０ａを折り返して装着し、さらにその上から皮ベルト２０を脱落しないように装着する方式や、図３（ｂ）のように、ブーツ４０の上部からくるぶしまでの直立部の全体に亘りレッグウォーマー１０ａを装着し、レッグウォーマー１０ａの上端近傍を皮ベルト２０で固定する方式等がある。
【００１２】
なお、レッグウォーマーは、冬期の外出着としては、ブーツとともに使用するのが典型的と考えられるから、図３の実施形態は、レッグウォーマーと皮ベルトの使用方法を、具体的に、消費者に教える効果がある。
【００１３】
なお、以上の実施形態では皮ベルト２０を使用しているが、材質的に同等のものであれば、皮ベルトに限るものではなく、プラスチック製、布製等のベルトを使用してもよい。
【００１４】
【発明の効果】
本発明によれば、商品の展示方式自体によって、レッグウォーマーとベルトが組合わせて使用されることの視覚的効果を、消費者に容易に認識させることができるという効果がある。
また、レッグウォーマーとベルトが一体となって、商品のイメージを強くアピールするので、売上増大に寄与するものとなる。
【図面の簡単な説明】
【図１】パッケージを用いた、本発明の展示方式の説明図。
【図２】レッグウォーマーを収納部へ収納する方法の説明図。
【図３】（ａ）及び（ｂ）は、ブーツを用いた本発明の展示方式の説明図。
【符号の説明】
１０ａ，１０ｂ：レッグウォーマー
２０：（皮）ベルト
３０：パッケージ
３２：吊下部
３４：収納部
４０：ブーツ
【図１】
2004141388.tif 000003
【図２】
2004141388.tif 000004
【図３】
2004141388.tif 000005
(57)【要約】【課題】簡単な構成により、患者の体腔を膨らませることなく水と空気の混合流体を挿入部の先端から噴霧状に噴出させることができる内視鏡の送水管路を提供すること。【解決手段】内視鏡の挿入部１の先端に開口する送水路７の先端開口６の近傍に局部的に流路断面積を狭めた狭窄部７ａを形成すると共に、狭窄部７ａの出口近傍の側壁面に開口して挿入部１の先端において外面に通じる通気路９を形成し、挿入部１の先端部分の周囲の空気が通気路９を通って吸い込まれるようにした。【選択図】　　　図１
2004141367.tif 000002
【特許請求の範囲】
【請求項１】
内視鏡の挿入部の先端に開口する送水路の先端開口の近傍に局部的に流路断面積を狭めた狭窄部を形成すると共に、上記狭窄部の出口近傍の側壁面に開口して上記挿入部の先端において外面に通じる通気路を形成したことを特徴とする内視鏡の送水管路。
【請求項２】
上記通気路が、上記送水路の狭窄部の側壁面に対して直角又は前方に向けて斜め向きに開口している請求項１記載の内視鏡の送水管路。
【発明の詳細な説明】
【０００１】
【発明の属する技術分野】
この発明は内視鏡の送水管路に関する。
【０００２】
【従来の技術】
内視鏡には一般に、観察窓の表面の汚れを洗い流したり、被写体である粘膜面に付着している汚物等を洗い流したりするための送水機能が設けられている。
【０００３】
そして、そのような送水による洗浄能を高めるために、単に水を噴出させるのではなく、操作部に配置された切り換え弁において水と空気（外気）の混合を行って、混合流体を噴霧状に噴出させることができるようにしたものがある（例えば、特許文献１）。
【０００４】
【特許文献１】
特公昭６３−４９５０２号公報
【０００５】
【発明が解決しようとする課題】
しかし、操作部に配置された切り換え弁において水と空気の混合を行うと、外気が水に混合されて体内に送り込まれるので、洗浄を目的とする操作の際に患者の体腔を過剰に膨らませてしまい、直ぐに吸引操作を行わなければならなくなって操作が極めて煩雑になる。
【０００６】
そこで特許文献１に記載された発明等においては、混合流体中の空気量を抑制するための流量調整弁を設けているが、それによって構造が複雑化するだけでなく、程度の差こそあれ水に混合された外気によって患者の体腔が過剰に膨らんでしまうことに変わりがない。
【０００７】
そこで本発明は、簡単な構成により、患者の体腔を膨らませることなく水と空気の混合流体を挿入部の先端から噴霧状に噴出させることができる内視鏡の送水管路を提供することを目的とする。
【０００８】
【課題を解決するための手段】
上記の目的を達成するため、本発明の内視鏡の送水管路は、内視鏡の挿入部の先端に開口する送水路の先端開口の近傍に局部的に流路断面積を狭めた狭窄部を形成すると共に、狭窄部の出口近傍の側壁面に開口して挿入部の先端において外面に通じる通気路を形成したものである。
【０００９】
なお、通気路が、送水路の狭窄部の側壁面に対して直角又は前方に向けて斜め向きに開口してもよい。
【００１０】
【発明の実施の形態】
図面を参照して本発明の実施例を説明する。
図１は内視鏡の挿入部１の先端部分を示しており、先端部本体２の先端面に配置された観察窓３の奥に対物光学系４が内蔵され、対物光学系４による被写体の投影位置に固体撮像素子５の撮像面が配置されている。
【００１１】
観察窓３と並んで先端部本体２の先端面に開口配置された流体噴出口６に連通して、先端部本体２の後方に貫通する送水路７が先端部本体２に形成され、挿入部１内に挿通配置された送水チューブ８の先端が後方から送水路７に接続されている。
【００１２】
送水路７は、後方寄りの部分が送水チューブ８と同程度の内径に形成されているが、流体噴出口６に通じる先寄りの部分には局部的に流路断面積を狭めた狭窄部７ａが形成され、狭窄部７ａから流体噴出口６に至る先端部分はラッパ状に広がって形成されている。
【００１３】
そして先端部本体２には、一端が送水路７の狭窄部７ａの出口近傍の側壁面に開口し、他端が先端部本体２の先端面において外面に開口する通気路９が形成されている。９ａはその外面開口、９ｂは狭窄部７ａの側壁面に形成された内面開口である。
【００１４】
通気路９の内面開口９ｂは、送水路７の狭窄部７ａを通過する水が流れの勢いによって通気路９内に飛び込むことのないように、この実施例においては狭窄部７ａの側壁面に対して前方に向けて斜め向きに開口している。ただし、狭窄部７ａの側壁面に対して直角に開口させてもよい。
【００１５】
通気路９は、流体噴出口６を正面から見た状態を図示する図２に示されるように、流体噴出口６を囲んでその周囲に例えば９０°間隔に４箇所に配置されている。
【００１６】
このような構成により、図示されていない操作部側から送水チューブ８を経由して水が送水路７に送り込まれ、その水が流路断面積の狭い狭窄部７ａを通過すると、その部分では水流の流速が速くなって圧力が低下するので、先端部本体２の周囲の空気が通気路９を経由して狭窄部７ａ内に吸い込まれる。
【００１７】
その結果、流体噴出口６からは水と空気の混合流体が噴出して、水だけが噴出される場合より優れた洗浄能力を得ることができ、その際に混合流体に吸い込まれるのは、内視鏡検査の際に患者の体腔内に位置する内視鏡の挿入部１の先端部分の周囲の空気なので、体外からは一切の空気が吸い込まれない。
【００１８】
したがって、患者の体腔を全く膨らませることなく、挿入部１の先端に配置された流体噴出口６から水と空気の混合流体を噴霧状に噴出させて汚物等を洗浄することができる。
【００１９】
なお、この実施例においては流体噴出口６が内視鏡の前方に向けられていて、被写体である粘膜面の洗浄を行うようになっているが、流体噴出口６を観察窓３の表面に向けて観察窓３の表面の汚れを洗い流すようにしてもよい。
【００２０】
【発明の効果】
本発明によれば、挿入部の先端に開口する送水路の先端開口の近傍に局部的に流路断面積を狭めた狭窄部を形成して、その狭窄部の側壁面に開口して挿入部の先端において外面に通じる通気路を形成したことにより、挿入部の先端部分の周囲の空気が吸い込まれて水と混合されるので、極めて簡単な構成により、患者の体腔を膨らませることなく、水と空気の混合流体を挿入部の先端から噴霧状に噴出させて優れた洗浄能力を得ることができる。
【図面の簡単な説明】
【図１】本発明の実施例の内視鏡の挿入部の先端部分の側面断面図である。
【図２】本発明の実施例の流体噴出口部分の正面図である。
【符号の説明】
１　挿入部
２　先端部本体
３　観察窓
６　流体噴出口（先端開口）
７　送水路
７ａ　狭窄部
８　送水チューブ
９　通気路
９ａ　外面開口
９ｂ　内面開口
【図１】
2004141367.tif 000003
【図２】
2004141367.tif 000004
(57)【要約】【課題】イ）ゆで卵を作るのに鍋に水と生卵を入れ、ガスに火をつけゆであがるまで、火事等の事故が起らないようにそばについている必要があった。ロ）電気ポットに直接生卵を入れた場合は殻についた汚れやアク等の不純物でお湯が汚れ飲用にはできず、ポット内部も洗浄し、お湯を沸かしなおす必要があった。【解決手段】本袋１は電気ポット６に入る大きさで、袋１の中に　卵８等と水を入れて袋入口２を閉める事ができ、電気ポット６内の湯５に入れた時にポット内部の湯５と袋内部の湯水４が混じらない高さを確保できるようにひも３又は帯３に電気ポット蓋７を閉めて挟み、吊り下げられるのを特徴とし、電気ポットを利用してゆであがるまでそばについている必要がなく、安全で低コストに効率よく　卵等８を入れてゆでる事ができる耐熱煮沸できるひも又は帯付きの袋。【選択図】　　　　　図５
2004141363.tif 000002
【特許請求の範囲】
【請求項１】
電気ポットに入る大きさで、袋のなかにたまご等と水を入れて袋の入口を閉める事ができ、ポット内の湯に入れた時、ポット内部の湯と袋内部の湯水が混じる事がない高さを確保できるようにひも又は帯等で吊り下げられる事を特徴とした、たまご等を入れて耐熱煮沸できる袋。
【発明の詳細な説明】
【０００１】
【発明の属する技術分野】
本発明は電気ポットを利用して、たまごや野菜等をゆでる事に関するものである。
【０００２】
【従来の技術】
イ）たまごや野菜等をゆでるには従来、鍋に水とたまご等を入れてコンロに火をつけ、数分間ゆでるのが一般的なゆで方である。又、ロ）たまごを電気ポットでゆでる場合は生たまごをそのままポットの飲用湯層に入れてたまごをゆでていた。
【０００３】
【発明が解決しようとする課題】
しかし、ゆでたまご等をゆでるのに次のイとロの問題があった。
イ）ゆでたまごをつくるのに鍋に水と生たまごを入れて、コンロに火をつけて約１５分以上たまごがゆであがるまで、火事等の事故が起らないようにそばについている必要があった。又、１５分以上ガスを使う必要があった。
ロ）電気ポットに直接生たまごを入れた場合は生たまごの殻についた汚れやたまごのアク等の不純物でポットのお湯が汚れて飲用にはできず、又、ポットの内部も汚れがついてしまうので、ポット内部を洗浄してから、お湯を沸かしなおす必要があった。
本発明はイとロの問題を解決し、電気ポットを利用して、安全に低コストで効率よくたまごや野菜等をゆでる事ができる耐熱煮沸できる袋の提供を目的とする。
【０００４】
【課題を解決するための手段】
本発明の袋は電気ポットに入る大きさで、袋のなかにたまご等と水を入れて袋の入口を閉める事ができ、ポット内の湯に入れた時にポット内部の湯と袋内部の湯水が混じる事がない高さを確保できるようにひもで吊り下げられるのを特徴とし、電気ポットを利用してたまご等がゆであがるまでそばについている必要がなく、安全で低コストに効率よくたまご等を入れてゆでる事ができ、耐熱煮沸できるひも又は帯付きの袋。
【０００５】
【発明の実施の形態】
以下本発明の実施の形態を図面に基づき説明する。
図１の１の袋に生たまご８と水を入れて袋の口２を閉めて、ひも又は帯３を持ち図５電気ポット６の５の湯層に入れる。この時袋１の入り口２は給水面５よりも高く、袋内の湯水４が互いに混じらないようにひも又は帯３を引っ張り、高さを保ちながらポットの蓋７を閉めてひも又は帯を挟み込む。電気ポットの湯温度は保温状態を保っているが、生たまごと水を入れた袋１を入れたことで、ポットの湯温度が下がり沸騰機能が働き、双方のお湯と水を沸騰させる。しばらくして、保温状態に機能が切り替わりポットに入れてから約１０分で半熟たまごができ、約１５分以上でゆでたまごがそばについていなくても安全に効率よくできる。たまごがゆであがったら袋のひもまたは帯３を持って袋１を取出し、袋１ごと水で冷やしたり袋１の中に水道水を入れてたまごを冷やす事ができる。本発明の袋を利用すれば、問題点イとロが解決され、安全に低コストで効率よくたまご等をゆでる事ができる。
又、熱湯で袋の形が変形する事無く、成分等が熱湯で飲用湯に溶けだして人体に影響を与えない耐熱煮沸できる素材でできている。
【０００６】
【発明の効果】
本発明の袋を電気ポットに入れて使えば、たまごがゆであがるまでそばについている必要がなく、安全で低コストにたまごや野菜等を確実にゆでることができる効果がある。
【図面の簡単な説明】
【図１】本発明のたまごや野菜等をゆでるひも付き袋を示す斜視図である。
【図２】本発明のたまごや野菜等をゆでる帯付き袋を示す斜視図である。
【図３】図１のＡ〜Ａ断面図である。
【図４】図２のＢ〜Ｂ断面図である。
【図５】電気ポット内部に入れたときの断面図である。
【符号の説明】
１　袋
２　入り口
３　ひも又は帯
４　袋内部の水
５　電気ポット内部給水面
６　電気ポット本体
７　電気ポット蓋
８　たまご
【図１】
2004141363.tif 000003
【図２】
2004141363.tif 000004
【図３】
2004141363.tif 000005
【図４】
2004141363.tif 000006
【図５】
2004141363.tif 000007
(57)【要約】【課題】金属、ガラス、石、木材、樹脂等の切削、研磨などの加工作業においては大量に発生する粉塵が該作業の進行状況を肉眼で観察・確認するための覗き窓などに付着・堆積する。このため、加工状況を観察するには加工作業を一時中断して粉塵を清掃・除去しなければならず作業効率や加工精度が低下するという問題が発生していた。また手作業で該加工を行なう際手元が見え難くなり怪我をする原因にもなっていた。【解決手段】覗き窓のガラスなどの中心に穴をあけ、シャフトを通し、先端にブラシを取り付けこれを回転させることで覗き窓ガラスなどに付着した粉塵を払い落とすことが出来る。また回転ブラシを覗き窓ガラスなどに密着させるためシャフトにスプリングを設けることで更に確実に粉塵を除去出来る。【選択図】図３
2004141765.tif 000002
【特許請求の範囲】
【請求項１】
材料の加工設備において防塵カバー、覗き窓のガラスの中心に穴をあけ、シャフトを通し、先端にブラシを取り付けこれを回転させることで防塵カバー、覗き窓ガラスに付着した加工時に発生する粉塵を払い落とすことを特徴とする回転ブラシ清掃装置。
【請求項２】
回転ブラシを防塵カバー、覗き窓ガラスに密着させるためシャフトにスプリングを設けることを特徴とする請求項１記載の回転ブラシ清掃装置。
【発明の詳細な説明】
【０００１】
【発明の属する技術分野】
本発明は材料の加工時に発生する粉塵が防塵カバー、覗き窓ガラスに付着しないように清掃する装置に関する。
【０００２】
【従来技術】
これまで材料即ち金属、ガラス、石、木材、樹脂等の切削、研磨などの加工作業においては大量に発生する粉塵環境の中で該作業の進行状況を肉眼で観察・確認する必要が有った。このため作業者は防塵メガネを着用して観察するか或いは該作業実施装置に附属する防塵カバーの一部である作業監視用透明板や該作業全体を箱等で囲ってその一部に設置した観察用覗き窓を通して加工状況を観察していた。しかしながらこれら防塵メガネ、防塵カバー附属透明板及び観察用覗き窓は作業の進展と共に付着する粉塵が多くなり、これらが堆積して加工状況が徐々に確認出来なくなっていた。従来この確認を確実に行なうと共に粉塵発生による作業者の作業環境悪化対策として覗き窓を用いず、エアーカーテンを形成させる方法が提案されている。
【０００３】
【特許文献】
特開平１０−１４９４７公報
またこれまで覗き窓などを用いた場合、これに付着する粉塵を除去するために一部の市販装置では窓の内部に自動車のワイパーのような除去装置を取り付けて手動で作動させていた。
【０００４】
【発明が解決しようとする課題】
このような状況においてエアーカーテン形成法は多量の空気の吸引、噴出及び通気孔、空気吸引通路などが必要となり運転費用及び装置の大型化、複雑化に伴う設備費の高騰は避けられない。またエアーカーテンを用いず更に最も多く採用されているワイパーを取り付けない装置の場合、加工状況を観察するには加工作業を一時中断して上記メガネ、透明板、覗き窓に付着した粉塵を清掃・除去しなければならず作業効率や加工精度の低下という問題が発生していた。また被加工物及び切削・研磨等の工具の支持を機械を用いず手で行なう作業例えば一方の手で義歯、他方の手でグラインダーを保持して加工する際、手元が見え難くなり怪我をする原因にもなっていた。またワイパーを取り付けた場合においても手動のため上記義歯の加工などの両手使用時はその作業の一時中断は避けられず、また該ワイパーの動きが遅く短時間に堆積する粉塵を完全には除去出来ず更にワイパーの動きが目に入って十分な観察が出来ないと言う欠点があった。これを解決するための電動ワイパーも考えられるが装置が複雑となり、設備費の高騰を招く。また左右に動くワイパー方式では観察するのに邪魔にならないような高速の動きを達成する必要が有り、ワイパーの耐久性などの構造も含めた技術的問題が発生する。
【０００５】
【課題を解決するための手段】
本発明に係わる回転ブラシ清掃装置は材料の製造・加工設備において防塵カバー、覗き窓のガラスの中心に穴をあけ、シャフトを通し、先端にブラシを取り付けこれを回転させることで防塵カバー、覗き窓ガラスに付着した製造・加工時に発生する粉塵を払い落とすことを特徴とするものである。また回転ブラシを防塵カバー、覗き窓ガラスに密着させるためシャフトにスプリングを設けることを特徴とするものである。
【０００６】
【実施例】
本発明の詳細を図面を用いて以下に説明する。ここでは一例として上記した義歯の研磨加工を取り上げ、加工部分全体を箱で囲ってその一部に覗き窓を設置し、作業者は被加工物と研磨工具をそれぞれ左右別の手で支持して加工する装置について説明する。図１は本発明に係わる回転ブラシ清掃装置の上面図、図２は同正面図、図３は同側面図、図４はスプリングを用いた回転ブラシ押し上げ図を示す。
【０００７】
作業者は本体１内で手作業の研磨加工を行なうがその加工状況を覗き窓８を通して肉眼で観察することとなる。本発明の回転ブラシ清掃装置は図１〜３に示されるようにモーターボックス２内の動力モーター５に連結されたブラシ１３が高速回転して覗き窓８の内面に堆積する粉塵１７を清掃除去する。なおこの際のブラシの回転数は１，８００回／分以上とすることにより肉眼ではワイパーがあたかも存在していないようになり、加工状況を十分に観察出来るようになる。また図４に示すように回転ブラシ１３はスプリング１６にて押し上げられた状態でシャフト７に固定されることにより覗き窓ガラスに密着られ、粉塵除去を更に確実に行なうことが出来る。
【０００８】
【発明の効果】以上説明したように、本発明に係わる回転ブラシ清掃装置によれば、製造・加工作業中連続して加工状況を観察することが出来るため作業の一時中断が回避され、作業効率や加工精度を大幅に向上させることが出来る。またブラシを高速回転させることにより、肉眼ではワイパーがあたかも存在していないようになり、被加工物及び切削・研磨等の工具の支持を手で行なう作業において加工の際、手元を十分に確認することが出来るため怪我をすることもなく、安全性を飛躍的に高めることが出来る。また設備費もブラシ並びにこれを回転させるモーターが必要となるだけで設備費、運転費は安価に押さえることが出来る。
【図面の簡単な説明】
【図１】本発明の一実施例である回転ブラシ清掃装置の上面図である。
【図２】同回転ブラシ清掃装置の正面図である。
【図３】同回転ブラシ清掃装置の側面図である。
【図４】同回転ブラシ清掃装置のスプリングを用いた回転ブラシ押し上げ図である。
【符号の説明】
１　　　回転ブラシ清掃装置本体
２　　　モーターボックス
３　　　研磨道具入れ
４　　　モータースイッチ
５　　　モーター
６　　　チャック
７　　　シャフト
８　　　覗き窓ガラス
９　　　手を入れる穴
１０　　　塵入れ引き出し
１１　　　照明スイッチ
１２　　　照明
１３　　　回転ブラシ
１４　　　バキューム穴
１５　　　回転ブラシ受け
１６　　　回転ブラシ押し上げスプリング
１７　　　粉塵
【図１】
2004141765.tif 000003
【図２】
2004141765.tif 000004
【図３】
2004141765.tif 000005
【図４】
2004141765.tif 000006
(57)【要約】　　　（修正有）【課題】梅果汁等の容易かつ効果的多量生産が可能な破砕装置を提供する。【解決手段】駆動モーター６により、ホッパー１に投入した梅の実等を、スクリュー２で破砕部３、４に送り込み、全て破砕しシャーベット状にして出口５より排出する。この後、遠心分離機にて種、皮等を分離する。【選択図】　図２
2004141139.tif 000002
【特許請求の範囲】
【請求項１】
モーター駆動によって、先に心金の付いたスクリューで、ホッパーに投入した梅の実等を送り、心金と外筒の間で種ごと破砕する破砕装置であって、前記心金は、入口はテーパー状後方はストレート状で外周には角鋼を進行方向に埋め込み又、外筒の内面にも進行方向に角鋼を埋め込んであり、この角鋼間で梅の実等を破砕する様にした、スクリュー送りによる梅の実等破砕装置。
【発明の詳細な説明】
【０００１】
【発明の属する技術分野】
本発明は、モーター駆動によるスクリューを使用し、ホッパーに投入した梅の実等を該スクリューで破砕部に送り込み、シャーベット状に破砕する破砕装置に関するものである。
【０００２】
【従来の技術】
梅等の果汁を作るのに従来は、手作業にて梅の実等を種を取り出し、その後ジューサーにて加工生成していた。
【０００３】
【発明が解決しようとする課題】
従来は、梅の実から１個１個手作業で種出しをし又、ジューサーもその都度出し入れするため手間と時間が掛かり、多量生産が出来ないという問題があった。この発明は、上記事情に鑑みて成されたもので、梅果汁等の容易かつ効果的多量生産が可能な破砕装置を提供することを目的としている。
【０００４】
【課題を解決するための手段】
モーター駆動によるスクリューを使用し、種入りのままホッパーに投入した梅の実等をスクリューの先の外周に角鋼を埋め込んだ心金と、内面に角鋼を埋め込んだ外筒との角鋼間で破砕し排出してシャーベット状の物を作り、その後遠心分離機で割れた種，皮等を取り除くだけで梅果汁等が生成出来る。
【０００５】
【発明の実施の形態】
本発明は、図面によって説明すれば、図２に於いてモーター６の駆動により伝動装置７を介しスクリュー２及び心金３を回転させる。ホッパー１に梅の実等を投入、スクリュー２で心金３と外筒４に送り込む。該心金３は、テーパー状の為入口は広くて、徐々に狭く成り、梅の実等が種ごと次々に破砕され、心金３のストレート部を通過する時には全てシャーベット状に成り、出口５より排出される。図３において心金３は、入口側がテーパー状で広く後方側は狭くストレート状に成っており外周には、くの字型の角鋼８が埋め込んである。図４において外筒は、内面にストレートの角鋼９を埋め込んである。図５は、心金３ストレート部と外筒４の組断面図で、心金３の回転が０°で破砕前である。図６は、心金３が１５°回転時で、心金の角鋼８と外筒の角鋼９の間で破砕が始まるところである。
【０００６】
【発明の効果】
梅の実等をホッパー内に投入するだけで、モーター駆動による本装置内に於いて破砕され、連続投入することで梅等破砕果が速く多量に作られることが可能に成る。その後この梅等破砕果を遠心分解機を使用して梅果汁等に生成できる。
【図面の簡単な説明】
【図１】装置全体の平面図である。
【図２】装置全体の正面図（断面）である。
【図３】スクリューの先の心金（破砕部センター）である。
【図４】破砕部外筒である。
【図５】心金と外筒の組み図（破砕部の断面）、０°の場合である。
【図６】心金と外筒の組み図（破砕部の断面）、心金が１５°回転時の場合である。
【符号の説明】
１　ホッパー（投入口）
２　スクリュー（送り込み）
３　心金（破砕部センター）
４　破砕部外筒
５　出口（排出口）
６　駆動モーター
７　伝動装置
８　心金用角鋼
９　外筒用角鋼
【図１】
2004141139.tif 000003
【図２】
2004141139.tif 000004
【図３】
2004141139.tif 000005
【図４】
2004141139.tif 000006
【図５】
2004141139.tif 000007
【図６】
2004141139.tif 000008
(57)【要約】　　　（修正有）【課題】発芽種子の製法と発芽種子を使った発酵飲食品の製法の提供。【解決手段】１．飲食可能な豆科植物又はごま科植物又はたで科植物又はなす科植物の種子を発芽し得る状態に置き、やがて種子が変形して発芽し始める直前又は直後に、これ以上の発芽を中止させることを特徴とする発芽種子の製法。２．発芽種子を蒸煮又は煮た後、又はこれを圧縮ろ過して乳状液にした後、納豆菌又は乳酸菌又は麹菌又は酵母を加えて発酵させることを特徴とする発酵飲食品の製法。【選択図】なし【特許請求の範囲】
【請求項１】
飲食可能な豆科植物又はごま科植物又はたで科植物又はなす科植物の種子を発芽し得る状態に置き、やがて種子が変形して発芽し始める直前又は直後に、これ以上の発芽を中止させることを特徴とする発芽種子の製法。
【請求項２】
発芽種子を蒸煮又は煮た後、又はこれを圧縮ろ過して乳状液にした後、納豆菌又は乳酸菌又は麹菌又は酵母を加えて発酵させることを特徴とする発酵飲食品の製法。
【発明の詳細な説明】
【０００１】
［産業上の利用分野］
本発明は、飲食可能な豆科植物、代表的なものとしては、大豆、黒豆、えんどう豆、あずき、そら豆、なた豆、ふじ豆、いんげん豆、ささげ、ひよこ豆、ひら豆、落花生等、ごま科植物、代表的なものとしては、ごま等、たで科植物としては、そば等、なす科植物、代表的なものとしては、なす、とまと、ぴーまん、おくら、きうり、すいか、かぼちゃ、うり、とうがん、とうがらし等の種子を発芽しうる状態に置き、やがて種子が変形して発芽し始める直前又は直後に、これ以上の発芽を中止させ、次いでこれを清浄にして、これを原料として、始めの種子と同様の方法で処理すると、加熱処理条件又は圧縮処理条件又は練合処理条件が著しく容易になり、しかも、体内により吸収され易いビタミン類の量が増加する。
又発芽種子を蒸煮又は煮た後、これをそのまま又はこれを圧縮ろ過して納豆菌又は乳酸菌又は麹菌又は酵母を加えて、常法により発酵させると、従来よりも、著しくヘルシー成分が増大し、発酵も均一に速くなり、旨さも増大する。従って、発芽種子及び発酵発芽種子は、飲食用としても、有用薬品の原料としても、すぐれており、極めてヘルシーで美味な主原料となる。オリゴ糖を加えると良い。
【０００２】
［従来の技術］
種子を原料として、単独又は他の材料を加えて加熱、特に蒸煮したり又はこれを圧搾したり又は発酵させて、飲食用又は料理用又有用薬品の原料とすることは一般に知られている。ところが種子のまま使用するため、種子、特にその皮層が固く、これを蒸したり、煮たりしても、仲々内部まで加熱変成することができなく、このため、より高温で長時間を必要とするため経済的に好しくない。又種子内部の成分も、そのまま加熱変成されるため、消化しやすいヘルシーな有効成分に変化しにくくヘルシーさの点でも好しくない。又これらの種子を発酵する場合も、同様なことがいえるため、同様に経済的にも、ヘルシーさの点においても全く好しくない。
【０００３】
［発明が解決しようとする課題］
解決しようとする問題点は、従来の種子の根本的な欠点を解決し、より安く、より速く、しかもよりヘルシーに、よりうまくすることが課題である。
【０００４】
［課題を解決するための手段］
本発明は、飲食可能な豆科植物又はごま科植物又はたで科植物又はなす科植物の種子を発芽し得る状態に置き、やがて種子が変形して発芽し始める直前又は直後に、これ以上の発芽を中止させて保存することにより完全に解決した。次にこれを発酵するには、本条件に従って造った発芽種子群を冷却保存して、発芽の生長を中止させる。次にこれを取り出して蒸煮又は煮た後、これらをそのまま又は圧縮ろ過した乳状液に発酵菌を加えて発酵させることにより完全に課題を解決した。
【０００５】
［作用］
飲食可能な豆科植物又はごま科植物又はたで科植物又はなす科植物の種子を発芽し得る状態に置くということは、前記種子を発芽し得る状況にすることが必要である。このためには、種子群を清浄にした後、約５〜６０℃、好しくは、３０〜４０℃の温水に約５０〜９００分浸漬すると、種子は膨潤して変形し出し、次いで発芽し始めてくる。次に約１〜３ｍｍ発芽した種子が散見されたら、素速く冷水中で冷却保存する。冷水は約１〜１０℃が好しく、保存中に熟成して、ヘルシー成分が更に増大する。発芽種子は種子に対し、発育に必要な成分、例えば、ポリフェノール、イソフラボン、ビタミン類、アミノ酸等の必須成分が増大し極めて好しい、又トーフ、煮豆、あんこ、等の加工製品を造るのも著しく速く容易になり、しかも、美味でヘルシーになるのも大きな特徴である。これだけでなく、発芽種子を蒸煮又は煮た後、又はこれを圧縮ろ過して乳状液にした後、納豆菌、又は乳酸菌、又は麹菌又は酵母を加えて発酵させると、従来の種子に比し、著しく発酵が速くスムースに行われ、しかも、より著しく美味になり飲食しやすく、その上、ビタミン類、ポリフェノール類が増大して著しくヘルシーになる。又発芽種子を調理して食すると便通が良くなるのも大きな特徴である。又発芽種子を発酵すると更に著しくヘルシーになり、便通も更に良くなり極めて好しい。
【０００６】
［実施例］
大豆１００部を約３５℃の温水に約５００分浸漬する。すると、大豆は変形膨潤し、その１部は約０．５ｍｍ程度発芽した。次にこれ等を２〜３℃の冷水中に１０時間浸漬熟成した。次に、これを加圧釜に投入して、約１１０℃の水蒸気を投入して約３０分蒸煮した。次にこれを取り出し、納豆菌水を均一に散布し、次いで、パックに収容して、約４０℃〜５０℃の発酵室で約８時間発酵した。次にこれを２〜４℃の熟成室で２０時間熟成した。これを本発明の発芽納豆とする。次に、通常の大豆を使用して、発芽大豆を使用したものと全く同一条件でつくったものを従来の納豆とした。
本発明の納豆は従来の納豆に比し、著しく食しやすく、旨さも大であった。
便通も著しくスムースで、糸引き性も大であった。
【０００７】
［発明の効果］
本発明は従来法に比し、著しく美味でヘルシーであり、生産コストも安く、ヘルシーであり、しかも糸引き性が大い割に納豆臭が少かった。便通も著しくスムースになった。又発芽種子を蒸煮又は煮た後、圧縮ろ過して乳状液にしたもの、又は更に発酵した製品は極めて飲み易く、美味でヘルシーであり、沢山飲んでもあきることがなかった。便通も著しくスムースであった。
(57)【要約】【課題】メシマコブ独特の匂いおよび苦味を緩和し、体内での吸収がよく、飲食用しやすく生理機能を一層向上させた健康食品を提供する。【解決手段】乳酸発酵産物とメシマコブ抽出物を混合し、メシマコブの匂いおよび苦味の成分を乳酸発酵物で内包して緩和し、舌触りのざらざら感を低減し、乳酸菌およびメシマコブ抽出物の多糖類が相乗的に機能する健康食品を提供する。【効果】臭み、苦味、舌触りを改善した飲食しやすく、免疫賦活による各種潰瘍予防や花粉症、アトピー性皮膚炎、にきびなどの皮膚炎症の改善が期待できる健康食品が提供できる。【特許請求の範囲】
【請求項１】
乳酸発酵産物とメシマコブ抽出物を含む健康食品
【請求項２】
乳酸発酵産物が乳酸菌ラクトコッカス・ラクティス亜種クレモリス（学名Ｌａｃｔｏｃｏｃｃｕｓ　ｌａｃｔｉｓ　ｓｓｐ．　ｃｒｅｍｏｒｉｓ）を用いた請求項１の健康食品
【発明の詳細な説明】
【００１】
【発明の属する技術分野】本発明は、健康を保持するための健康食品に関し、特に免疫機能を高める機能その他の保健に望ましい効果が期待される健康食品に関する。
【００２】
【従来の技術】メシマコブは、古来、桑の木にコブ状に寄生するキコブダケに属する多年生のサルノコシカケ（邦名）、桑黄（中国名）と俗称されるものであり、学名はフェリナス・リンテウス（Ｐｈｅｌｌｉｎｕｓ　ｌｉｎｔｅｕｓ）というキノコ（単子菌類）である。子実体および菌糸体に含まれる多糖類が免疫賦活作用を有し、がん免疫療法の一端として注目されている。
【００３】しかしメシマコブにはきのこ独特の臭みおよび苦味をもち飲用しずらいという欠点があった。
【００４】獣乳の乳酸発酵産物は数多くの商品が出回り、血糖値に低下やアレルギーの低減の保健機能を有するものがある。
【００５】免疫賦活作用を持つ乳酸菌は多く報告されており、そのひとつとして乳酸菌ラクトコッカス・ラクティスの存在は報告されている（特許文献１参照）。また乳酸発酵産物とアガリクスを混合した健康食品が提案されているが、その臭いや食感の向上についての報告はなされていない（特許文献２参照）。
【００６】
【特許文献１】
特開平１０−１３９６７４
【特許文献２】
特開平０９−１９１８５２
【００７】
【発明が解決しようとする課題】本発明はメシマコブ独特の匂いおよび苦味を緩和し、体内での吸収がよく、飲食用しやすく生理機能を一層向上させた健康食品を提供することにある。
【００８】
【課題を解決するための手段】
本発明は乳酸菌類をもちいた乳酸発酵産物とメシマコブ抽出物を混合し、メシマコブの匂いおよび苦味の成分を乳酸発酵物で内包して緩和し、舌触りのざらざら感を低減し、乳酸菌およびメシマコブ抽出物の多糖類が相乗的に機能することで上記の目的を達する。
【００９】さらにメシマコブ抽出物の粉末を飲食できるので消化吸収の効率をあげることができる。
【０１０】乳酸菌類はラクトコッカス・ラクティス亜種クレモリスを用いることで多糖類を多く産生し粘性ある乳酸発酵物を得られる。
【０１１】
【発明の実施の形態】以下、この発明の実施の形態を詳細に説明する。
【０１２】本発明の健康食品における乳発酵産物とは、獣乳の発酵産物であるヨーグルトまたはケフィアであり、獣乳から発酵産物を製造する方法は特に限定されるものではなく、牛乳を原料とするヨーグルトまたはケフィアの製造方法などを採用することができる。
【０１３】使用菌種は乳酸菌ラクトコッカス・ラクティス亜種クレモリスを発酵に用いることで多糖類を多く産生し粘性のあるヨーグルトとなる。
【０１４】乳酸発酵産物の形態は、乳白色泥状を呈するヨーグルト状で粘性のあることが特徴である。
【０１５】メシマコブ抽出物はメシマコブ子実体を熱水抽出し、等量のエタノールで沈澱させ、遠心式限外濾過装置により除蛋白後、凍結乾燥機で乾燥し、粉砕機により粉砕した。
【０１６】メシマコブ抽出物の形態は茶色粉状であるが定法により顆粒へ加工しても良い。
【０１７】なおメシマコブ抽出物の製造方法は定法に従えばよく特に限定されたものではない。
【０１８】製造した乳酸発酵産物にメシマコブ抽出物を加え、よく撹拌混合して白茶色粘質泥状の健康食品を得る。
【０１９】乳酸発酵産物とメシマコブ抽出物は別包とし生食の直前に混合してもなんら差し支えない。
【０２０】この食品はメシマコブ特有の臭み、苦味および舌触りのざらざら感が粘質泥状の乳酸発酵産物に内包されることにより人間の嗅覚および味覚に感じられずらいという特徴をもつ。
【０２１】
【実施例】以下、本発明の健康食品について実施例に基づいて詳細に説明する。
【０２２】実施例１　牛乳１リットルに培養菌種（乳酸菌ラクトコッカス・ラクティス亜種クレモリス）３０ｇを加え撹拌し、２５度で２４時間培養し乳酸発酵産物を得る。
【０２３】メシマコブ子実体１００ｇを純水１リットルで熱水抽出しエタノールで沈殿させ、遠心式限外濾過装置により除蛋白後、凍結乾燥機で乾燥し、粉砕機により粉砕してメシマコブ抽出粉末２８ｇを得た。
【０２４】乳酸発酵産物１００ｇにメシマコブ抽出粉末１．５ｇを加えて撹拌混合して健康食品を得た。
【０２５】得られた健康食品について味覚官能テストを行った。
【０２６】実施例１で得られた健康食品、比較としてブルガリアヨーグルトにメシマコブ抽出粉末１．５ｇを混合したもの、水１００ｍＬにメシマコブ抽出粉末１．５ｇを混合したもの、メシマコブ抽出粉末の４区について以下の方法で行った。
【０２７】なおブルガリアヨーグルトは乳酸菌ラクトバチルス・ブルガリカス（学名Ｌａｃｔｏｂａｃｉｌｌｕｓ　ｂｕｌｇａｒｉｃｕｓ）を使用したヨーグルトであり産生する乳酸発酵産物の粘性は低い。
【０２８】メシマコブ抽出物特有の臭み、苦味および舌触りのざらざら感について１．まったく（臭わない、苦くない、ざらざらしない）２．ほとんど（臭わない、苦くない、ざらざらしない）３．やや（臭う、苦い、ざらざらする）４．強く（臭う、苦い、ざらざらする）の４段階で評価した。試験の結果を表１に示した。
【表１】
2004141114.tif 000002
【０２９】以上の官能試験の結果、実施例１の乳酸発酵産物はメシマコブ抽出粉末の臭み項目をブルガリアヨーグルトとともに高い数値で緩和し、苦味項目もブルガリアヨーグルトとともに高い数値で緩和し、舌触りの項目においてはブルガリアヨーグルトに優位の差をもって緩和した。
【０３０】
【発明の効果】このように乳酸菌ラクトコッカス・ラクティス亜種クレモリスの乳酸発酵産物にメシマコブ抽出粉末を混合することによってメシマコブの匂いおよび苦味の成分を乳酸発酵産物で内包して緩和し、舌触りを改善し、消化吸収の効率を上げ、飲食しやすくなる。さらに乳酸菌およびメシマコブ抽出物の多糖類が相乗的に機能することによって免疫賦活による各種潰瘍予防や花粉症、アトピー性皮膚炎、にきびなどの皮膚炎症の改善が期待できる健康食品が提供できる。
(57)【要約】【課題】既製品の隙間家具には成しえない、種々異なる隙間幅寸法に適合し、隙間幅全ての活用ができることと、転倒安定性に優れた棚装置である。【解決手段】箪笥や本棚などを並べて設置した際に生じる隙間を、リンク機構を採用し隙間幅の寸法に自動的に調節できること、棚装置の自重及び棚に乗せた物の重量により隙間の幅方向に力が加わり、棚装置の両脇にある箪笥などと強く接触することにより、棚装置の前方向へ倒れ難くなること、棚装置で棚板の取り付けを棚装置の後面のみで片持ち結合し、中間の棚板位置が自在度を持ち棚側面部材を無くすことにより棚装置幅の全てを活用できること、以上の特徴から積み重ねた利用も安定性に優れることを特徴とする棚装置。【選択図】　　　　図１
2004141203.tif 000002
【特許請求の範囲】
【請求項１】
２つの縦部材と該縦部材に設けた棚板部と該縦部材間を連結する少なくとも一つのリンクからなる棚装置。
【請求項２】
前記縦部材に複数の棚板係合部を設け、該棚板係合部に棚板を着脱自在とした請求項１記載の棚装置。
【請求項３】
前記縦部材に前記棚板を狭圧保持する請求項１記載の棚装置。
【請求項４】
前記縦部材を棚装置背面に設け、棚板を正面に向け張り出させた請求項１及び請求項２及び請求項３記載の棚装置。
【発明の詳細な説明】
【０００１】
【発明が属する技術分野】
本発明は、家具と家具や壁などにできる隙間を有効活用できる隙間家具に関するものである。
【０００２】
【従来の技術】
従来の隙間を利用する家具は、その家具の幅は製作者の意図で決まり、出来上がった家具の幅は調整不可能であったため、隙間幅に合わせ少し小さめの幅寸法の家具を利用していた。またそれらの家具には側面板を有するものが多く、したがってその家具の内寸法分のみの活用しかできなかった。隙間は少ない寸法であり不活用部分の占める割合は大変大きなものであったため、空間の活用は十分なされていなかったのが現状であった。
【０００３】
隙間全幅を有効活用するためには、隙間寸法に合わせた家具を作製しなければならなかった。
【０００４】
一品料理的に隙間全幅を有効活用する家具を作製する場合には、専門業者に依頼すれば高価になり、自前で家具を作製する場合にも労力が多くかかり経済的ではなかった。
【０００５】
従来の隙間家具は一般的には１８０センチくらいの背丈の高い家具が多く、９０センチくらいの背丈の低い家具においても積み重ねて使用した場合には安定性が悪く危険であった。
【０００６】
【発明が解決しようとする課題】
解決しようとする問題点は、隙間を最大限の活用が、簡単な手法で安価に得られなかった点である。
【０００７】
【課題を解決するための手段】
本発明は、隙間幅の大小に関わらず隙間全幅を有効に活用できる棚装置で、左右の縦部材をリンクで連結し棚の幅方向に回動自在とすることにより課題を解決している。
【０００８】
【発明の実施の形態】
棚装置の縦部材はリンクにより隙間幅まで回動し、更に棚装置の自重及び積載物重量により拡幅する力が加えられ隣接する家具や壁と圧接し固定される。また、棚板は任意の位置に取り付けられ物品の収納を可能にする。
【０００９】
（１）縦部材１を固定し（２）縦部材２の（Ｈ）自重＋（２）縦部材２の棚に載った荷重により（Ｊ）方向へ作用する。つまり（１）縦部材１と（２）縦部材２は開こうとするため両側面にある箪笥や本棚などでできた隙間を埋めるように作用する。
【００１０】
【実施例】
図１は、本発明の実施例の背面図（原理に関係ない部分は省略）であって、寸法の説明をします。（Ａ）は最大幅であり（Ｄ）×４が最良の寸法であり３０ｃｍ未満になるのが好ましい。（Ｅ）は（５）棚部材及び（６）棚部材（最下部）の幅（Ｄ）×２が好ましい。（Ｇ）は一般の家具や家屋の基準寸法の兼ね合いで９０ｃｍくらいが望ましい。（Ｆ）は（１）縦部材１及び（２）縦部材２の中心線上にリンク支点を置いた場合（Ｄ）×３となる。（Ｂ）は隙間寸法に調整された寸法となり（Ｄ）×２から（Ｄ）×４の範囲である。（Ｃ）はリンクの可動範囲を示す。したがって（Ｄ）は７５ｍｍ未満５０ｍｍ以上が望ましく棚装置の設置する隙間幅が３００ｍｍ〜１５０ｍｍから２００ｍｍ〜１００ｍｍの棚装置が選択できる。図３の（Ｋ）は既存の家具が奥行き３０ｃｍくらいが一般的でありこの棚装置も３０ｃｍくらいが望ましい。（Ｌ）は任意に選べるよう（１）縦部材１及び（２）縦部材２に（５）棚部材が入る溝を作ってあり好みの位置に固定すると良い。
【発明の効果】
以上説明したように本発明の棚装置は、隙間幅が３０センチ未満の既成の標準的な家具の設置しにくい隙間空間を、余すことなく安全に最大限有効活用する用途に適用できる。
【図面の簡単な説明】
【図１】棚装置のリンク機構を示した背面説明図である。（原理に関係ない部分は省略）
【図２】棚装置の実線による作用図である。
【図３】棚装置の側面図である。（リンク結合部は一部省略）
【図４】棚装置の正面図である。（隠れた部分と（５）棚部材の最上部以外の部分は省略）
【符号の説明】
１　　縦部材１
２　　縦部材２（縦部材１と２の形状は同一）
３　　リンク
４　　リンク支点
５　　棚部材
６　　棚部材（最下部）
７　　棚部材の挿入し取り付け用溝
Ａ　　展開した最大寸法
Ｂ　　隙間寸法にあわせ設置した寸法
Ｃ　　リンク機構の可動範囲
Ｄ　　縦部材の寸法
Ｅ　　縦部材間の寸法
Ｆ　　リンク機構の支点間寸法
Ｇ　　縦部材の縦寸法
Ｈ　　自重＋荷重の方向
Ｊ　　リンク機構の自重＋荷重の作用方向
Ｋ　　棚の奥行き寸法
Ｌ　　棚の取り付け間隔
【図１】
2004141203.tif 000003
【図２】
2004141203.tif 000004
【図３】
2004141203.tif 000005
【図４】
2004141203.tif 000006